(57)【要約】【課題】  架線支柱からかかる、衝撃、引張荷重、風圧荷重の圧力を金属、コンクリート等で加工、形成した埋設支柱をＬ字形に組み合わせて架線支柱の地中部分に取り付けて架線支柱からかかる圧力を埋設支柱を通じて土壌の粒子全体に分散して逃がして倒壊を防止するものである。【解決手段】  埋設支柱（３）を少し離れた箇所に直立に埋設して架線支柱（１）埋設支柱（３）に連結金具（５）を取り付けて埋設支柱（２）を水平にして架線支柱（１）埋設支柱（３）の連結金具（５）と埋設支柱（２）の取り付け金具（４）をボルト（７）ナット（８）で締結して埋設支柱（２）（３）をＬ字形に組み合わせて設置して全体を一体にして堀削した土砂を埋め戻す。【選択図】  図２
2005194850.tif 000002
【特許請求の範囲】
【請求項１】
埋設した架線支柱の地中部分に金属、コンクリート等で加工、形成した埋設支柱を連結金具を用いてＬ字形に形成して取り付けた埋設する架線支柱の倒壊防止機構。
【発明の詳細な説明】
【発明の詳細な説明】
【技術分野】
【０００１】    この発明は、埋設した架線支柱の地中部分にＬ字形に加工、形成した埋設支柱を取りつけた埋設する架線支柱の倒壊防止機構に関するものである。金属、コンクリート等で三角形、四角形、菱形、円筒形、多角形に加工、形成した埋設支柱と架線支柱に連結金具を用いて、架線支柱の地中部分にＬ字形になるように設置してボルト、ナットで締結して全体が一体になるようにして、堀削した土砂を埋め戻して、架線支柱の上下、前後、左右からかかる圧力をＬ字形に加工、形成した埋設支柱を通じて地中に分散して逃がして架線支柱の倒壊を防止することを基本とした埋設する架線支柱の倒壊防止機構である。
【背景技術】
【０００２】    従来、埋設した架線支柱には架空電線、架空電話線の配線が主であった、今日、インターネット等の需要、普及による光ケーブルの架空配線が増加している、架線支柱には、図（６）が示すように架空配線が多い箇所では過密状態にある、光ケーブルの配線の多い箇所では５本〜８本あり、これを前後から見るとカーテンを張った状態に見え、交差点では前後、左右の電線、電話線、光ケーブルの架空配線が更に増加する、交差点、前後、左右に架線支柱が立ち並ぶ場所で上空を見れば電線、電話線、光ケーブル、控線がクモの巣が張ったような状態にあり、そのため架線支柱を支持するため控線、控柱を増強しなければならない、架線支柱はビル、住宅、工場、倉庫、車庫、建築物等のある場所に多く埋設されているため控線、控柱の設置困難な場所が多く地震、台風、水害等の災害発生事、架線支柱の倒壊防止は難事で大きな災害、事故に繋がる、現在、電線、電話線、光ケーブルは埋設した架線支柱に取り付けるか、別に支柱を立てるか、地中に埋設す、るしかなく、地中に埋設すると設置工事の資財、機材が多く必要ななり工事期間が延長して工事経費の高騰に繋がる、また地震、台風、水害等の災害発生事、復旧工事に時間がかかり生活秩序に支障を起こす、架線支柱を増加して電線、電話、線、光ケーブルを分けて架線支柱に取り付ければ地上は架線支柱、電線、電話線、光ケーブル、控線、控柱が散乱して景観、自然環境を損ねてより危険な状態になる、そのため、一本一本が独立した安全で強力な景観、自然環境を害しない埋設する架線支柱が求められる。
本来の、独立、安定、傾斜に関するものは地中にアンカーを埋めこんで架線支柱とアンカーをワイヤーで繋いで架線支柱の傾斜を防止しているまた控柱を斜めにして架線支柱に取り付けて架線支柱の独立、傾斜の安定、連鎖倒壊の防止を支持している、そのため控線のワイヤーや控柱にひっかかったり、けつまづいたり、ぶつかったりした、全国には埋設した架線支柱、電線、電話線、光ケーブル、控線、控柱が立ち、並び視界と景観、自然と環境を損なっている、控線、控柱の使用困難な場所、川、池、海、道歩道、建築物等のある箇所では架線支柱を少し斜めに埋設して独立、安定を計っている、主に埋設した架線支柱はビル、住宅、工場、倉庫、車庫、道歩道、建築物等の近くに埋設され地震、台風、水害等の発生事、倒壊を防止するのは困難である、また道路の車両通交者、一般歩行者も同じように倒壊確認は困難である、そのため控線、控柱のいらない安全で倒壊防止に強力な架線支柱が求められながら実現は困難であった、今日でも埋設する架線支柱の独立、傾斜の安定、倒壊を防止する技術の主流は控線、控柱である。
埋設した架線支柱を地中から支える基礎工はコンクリート二次製品でブロック形に形成した基礎を架線支柱の地中部分に取り付けて支柱を支持している、そのため架線支柱の一定方向より衝撃、圧力が生じると架線支柱を通じてブロック形の基礎の一定方向に圧力が集中して架線支柱の傾斜、安定は困難である、そのため大型の基礎を用いなければならなく狭い場所、障害物岩石、コンクリート、水道管、ガス管、下水管、マンホール、電気、電話の配線管、建築物等のある場所での設置は困難である。
地中の土砂の抵抗力を利用して傾斜を防ぐ装置はラケット状、羽根状のような形をした根伽装置があり、それを埋設した架線支柱の地中部分に取り付けて、土砂の抵抗力を利用して架線支柱の独立、傾斜を安定させている、取り付けた装置が小さければ効果が少なく、大きくすれば地震等の災害発生事、反対に取り付けた装置より振動、揺れが架線支柱に増大して伝わり独立、傾斜の安定を困難にする、また架線支柱に取り付けた装置、ラケット状、羽根状のものは上下の荷重圧力、地震の振動、揺れに難点がある。日本全国は地震、台風、水害等の災害の多い国であり、電気、電話、インターネット等は日常生活にかかせないものであり、より安全で強度な埋設する架線支柱の倒壊防止機構が求められる。
【発明の解決しようとする課題】
【０００３】    この発明は、このような欠点を、除くためになされたもので金属、コンクリート二次製品で三角形、四角形、菱形、円筒形、多角形に加工、形成した埋設支柱に連結金具、取り付け金具でＬ字形に組み合わせて架線支柱の地中部分にボルト、ナットで締結し取り付けて埋設した架線支柱の上下、前後、左右からかかる衝撃、圧力をＬ字形に組み合わせて取り付けた埋設支柱から地中に分散して逃がして架線支柱の倒壊を防止するのを特長としたものである。
それを図（１）について説明すれば、埋設支柱（３）を少し離れた箇所に直立に埋設して架線支柱（１）埋設支柱（３）に連結金具（５）を取り付けて埋設支柱（２）を水平にして架線支柱（１）埋設支柱（３）の連結金具（５）と埋設支柱（２）の取り付け金具（４）をボルト（７）ナット（８）で締結して埋設支柱（２）埋設支柱（３）がＬ字形になるように設置して全体を一体にして堀削した土砂を埋め戻す。
【課題を解決するための手段】
【０００４】    平成９年３月２７日、通商産業省令５２号、電気設備に関する技術基準を定める省令、第一章、第３節、支持物の倒壊による危険の防止のなかに、支持物の倒壊の防止、第３２条、架空電線路又は架空電車線路の支持物の材料及び構造、その支持物が支持する電線等による引張荷重、風速４０ｍ／秒の風圧荷重及び当核設備場所において通常想定される気象の変化、振動、衝撃その他の外部環境の影響を考慮し、倒壊のおそれのないよう、安全なものでなければならない。ただし、人家が多く連なっている場所に施設する場合は風速４０ｍ／秒の２分の１の風圧荷重を考慮して施設することができる。（２）特別高圧架空電線路の支持物は、構造上安全なものにすること等により連鎖的に倒壊のおそれのないように施設しなければならない。以上が省令に定められた支持物の倒壊防止基準に関するものである。
この発明は、（０００３）に記載したような構造であるから、架線支柱の上下、前後、左右から係る衝撃、圧力をＬ字形に加工、形成して架線支柱の地中部に取り付けた埋設支柱を通じて架線支柱、埋設支柱より、柔らかい、土壌の粒子を利して地中に分散して逃がして倒壊を防止する仕組みである、土壌は大小の粒子であり、衝撃、圧力は埋設支柱を通じて土壌粒子全体に伝わり地中に分散して抜けていく、埋設支柱をＬ字形に組み合わせて架線支柱の埋設部に取り付けることにより架線支柱から係る衝撃、圧力を埋設支柱を通じて地中に分散して抜けやすくした、それを図（５）について説明すれば、架線支柱（１）の地上部分からかかる衝撃、圧力（矢印Ａ）は架線支柱（１）を通じて埋設した埋設支柱（２）埋設支柱（３）全体に伝わり矢印（→、←、↑、↓）の示す方向一定箇所に集中することなく圧力は地中に分散して抜けていく、地中は支柱より柔らかいので衝撃、圧力は埋設支柱を通じて分散して地中に逃げる、埋設支柱（２）は水平に埋設しているので重力、上下の圧力を防いで前後、左右の傾斜を防止する、埋設支柱（３）は前後、左右の傾斜、揺れを防いで倒壊を防止する、Ｌ字形に加工、形成して取り付けた埋設支柱は架線支柱回り３８０度どこから圧力がくわわっても傾斜を防止する。埋設支柱（２）（３）は圧力を分散さすため中心部を空洞にする、また支柱全体に地震の振動、衝撃、揺れが伝わっても同じように埋設支柱より圧力を分散して逃がして揺れを最小限に押さえて倒壊を防止する。
【発明の実地の形態】
【０００５】    Ｌ字形に加工、形成して架線支柱の埋設部に取り付けた埋設支柱は独自の働きをして架線支柱の倒壊を防止する、埋設支柱（２）は水平に取り付けているので荷重を防いで前後、左右の傾斜を防止する、埋設支柱（３）は前後、左右の傾斜、揺れを防いで倒壊を防止する、そのため、架線支柱の負担が少なくなって倒壊を防止する。架線支柱を長く、深く埋設して傾斜、倒壊の防止を計ると架線支柱の埋設部が長い分地震の振動、揺れが伝わり安定しにくい、Ｌ字形の埋設支柱を取り付けることにより長く深く埋設しなくても地震の振動、揺れを最小限におさえて倒壊を防止する。埋設支柱（２）（３）は独自の働きをするので強力になる。
柱を一本地中に直立に立てて押すと傾斜しやすい、Ｌ字形に形成した柱を立てた柱の地中部分に取り付けて押しても傾斜は困難である、山の急斜面に垂直に起立している樹齢何十年、何百年の杉、桧等の樹木は地震、台風、水害等の衝撃、圧力を受けながらも何十年、何百年も起立している、これらの樹木には枝があり、葉があり地震、台風、水害等の強い災害の衝撃、圧力がくわわっても樹木等は起立している、これらは樹木等を支える強度よりも樹木の根を通じて地中に圧力を分散して逃がして倒壊するのを避けているものである。
水道管、ガス管、下水管、マンホール電気、電話の配管等は図（２）図（４）が示すように避けて埋設することは可能である、川、池、海に近い場所でも図、（３）が示すように設置でき控線、控柱はいらない、ビル、住宅、工場、倉庫、車庫、建築物等のある場所、岩石、コンクリート等の障害物のある場所、土砂の固い箇所、柔らかい箇所、狭い場所では埋設支柱（２）（３）を長く、短く加工して設置すればよい、現在、埋設した架線支柱にも同じように取りつけ工事ができ、埋設工具も従来のものとあまり変わりなく、埋設支柱（２）（３）は独立しているので運搬しやすい、また埋設支柱（２）（３）を取り除くとき深く堀削しなくても連結金具（５）と取りつけ金具（４）で締結したボルト（７）ナット（８）を取り外せば撤去は無理なくできる。
【発明の効果】
【０００６】    このようにＬ字形に加工、形成した埋設支柱を埋設した架線支柱の地中部分に取りつけた架線支柱は、ビル、住宅、工場、倉庫、車庫、公園、田畑、山林、野原、道路、歩道での控線、控柱がいらなくなり、控線のワイヤーや控柱に、ひっかかったり、けつまづいたり、ぶつかったり、しなくなり安全である、目の不自由な人、夜間年配者にとってワイヤー等は見えにくいので危険である。控線、控柱のいらない地震、台風、水害等の災害、事故等に強度で力強い架線支柱を配して、架線支柱をすっきりした形にして視界と景観を良くして、自然環境にやさしく害することのない、より安全な架線支柱を提供することができる。
【図面の簡単な説明】
【図１】  Ｌ字形に加工、形成して架線支柱の地中部分に取りつけた埋設支柱の側面図である。
【図２】  埋設物を避けて設置した埋設支柱の側面図である。
【図３】  川、海、道路の近くに設置した埋設支柱の側面図である。
【図４】  障害物、マンホールを避けて設置した埋設支柱の平面図である。
【図５】  埋設支柱にかかる圧力が地中に抜ける仕組みを矢印で示した埋設支柱の側面図である。
【図６】  電線、光ケーブル等の配線を取り付けた架線支柱の正面図である。
【符号の説明】
１    架線支柱          ２    埋設支柱          ３    埋設支柱
４    取り付け金具      ５    連結金具          ６    地中
７    ボルト            ８    ナット            ９    マンホール
１０  水道管            １１  ガス管            １２  電気配管
１３  電話配管          １４  下水管            １５  道路
１６  川                １７  海                １８  トランス
１９  電線              ２０  光ケーブル        ２１  控線
２２  控柱
（Ａ→）  架線支柱にかかる圧力
（→、←、↑、↓）  地中に抜ける圧力
【図１】
2005194850.tif 000003
【図２】
2005194850.tif 000004
【図３】
2005194850.tif 000005
【図４】
2005194850.tif 000006
【図５】
2005194850.tif 000007
【図６】
2005194850.tif 000008